(57)【要約】【課題】他の容器体への内容物の注入作業を簡単に、かつ、確実に行うことができ、低コストで製作可能な詰め替え用容器を提供する。【解決手段】他の容器体に注入するための内容物が収容される詰め替え用容器において、筒状をなす胴部１１と、この胴部１１の上端に連設され、反転変形して凹部１９を画成する反転変形部１５と、この反転変形部１５の内周端に連設され、上方に向けて突出する注出筒部１６と、を有し、反転変形部１５には、反転変形時に凹部１９の内周壁となる部分に、前記他の容器体に係合して注出筒部１６を固定する係合部１５Ｃが設けられていることを特徴とする。【選択図】図２
2008133025.tif 000002
【特許請求の範囲】
【請求項１】
他の容器体に注入するための内容物が収容される詰め替え用容器において、
筒状をなす胴部と、この胴部の上端に連設され、反転変形して前記胴部の内方に向けて凹んだ凹部を画成する反転変形部と、この反転変形部の内周端に連設され、上方に向けて突出する注出筒部と、を有し、
前記反転変形部には、反転変形時に前記凹部の内周壁となる部分に、前記他の容器体に係合して前記注出筒部を固定する係合部が設けられていることを特徴とする詰め替え用容器。
【請求項２】
請求項１に記載の詰め替え用容器において、
前記注出筒部の上端開口部に、この上端開口部を閉塞する閉止部材が設けられ、  
前記胴部、前記反転変形部、前記注出筒部および前記閉止部材がブロー成形によって一体に成形されていることを特徴とする詰め替え用容器。
【請求項３】
請求項１または請求項２に記載の詰め替え用容器において、
前記係合部は、反転変形時に雌ネジとなるネジ部であることを特徴とする詰め替え用容器。
【請求項４】
請求項１から請求項３のいずれかに記載の詰め替え用容器において、
前記胴部の下端に連設された底部に、前記詰め替え用容器内に内容物を充填するための充填口部が設けられ、
この充填口部は、反転変形することで前記胴部の内方に収容される構成とされていることを特徴とする詰め替え用容器。
【発明の詳細な説明】
【技術分野】
【０００１】
本発明は、他の容器体に注入するための内容物が収容される詰め替え用容器に関するものである。
【背景技術】
【０００２】
従来、前述の詰め替え用容器としては、例えば特許文献１、２に開示されているように、筒状をなす胴部と、内容物を注出する注出口部とを備えたものが提案されている。これらの詰め替え用容器においては、詰め替え用容器内の内容物を注出口部から注出し、他の容器体の開口部を通じて他の容器体内に注入する。
【特許文献１】特開平１０−３２９８４９号公報
【特許文献２】特開２００４−１８０９３号公報
【発明の開示】
【発明が解決しようとする課題】
【０００３】
しかしながら、前述の詰め替え用容器においては、他の容器体の開口部が小さい場合には、詰め替え用容器内の内容物を他の容器体へと注入することが困難となり、注入作業時に内容物が漏れてしまうおそれがあった。
特に、詰め替え用容器の胴部の肉厚が薄い場合には、詰め替え用容器を把持した際に胴部が変形してしまうので、取扱い性が悪く、他の容器体への内容物の注入作業が一層困難となってしまう。
【０００４】
本発明は、前述した事情に鑑みてなされたものであって、他の容器体への内容物の注入作業を簡単に、かつ、確実に行うことが可能な詰め替え用容器を提供することを目的とする。
【課題を解決するための手段】
【０００５】
この課題を解決するために、本発明の詰め替え用容器は、他の容器体に注入するための内容物が収容される詰め替え用容器において、筒状をなす胴部と、この胴部の上端に連設され、反転変形して前記胴部の内方に向けて凹んだ凹部を画成する反転変形部と、この反転変形部の内周端に連設され、上方に向けて突出する注出筒部と、を有し、前記反転変形部には、反転変形時に前記凹部の内周壁となる部分に、前記他の容器体に係合して前記注出筒部を固定する係合部が設けられていることを特徴としている。
【０００６】
この構成の詰め替え用容器においては、反転変形して凹部を画成する反転変形部と、この反転変形部の内周端に連設された注出筒部とを有し、この反転変形部のうち前記凹部の内周壁となる部分に他の容器体に係合する係合部が設けられているので、他の容器体の開口部を通じて注出筒部を挿入するとともに反転変形により画成された凹部を前記開口部に被せた状態で係合部を他の容器体に係止することによって、注出筒部を固定することが可能となる。
したがって、注出筒部が他の容器体内に挿入されて固定された状態で注入作業を行うことができるので、内容物が漏れ出すおそれがなくなり、注入作業を簡単に、かつ、確実に行うことができる。
【０００７】
また、係合部が、反転変形時に凹部の内周壁となる部分に設けられているので、反転変形させる前の状態でこの詰め替え用容器を製作する場合には、反転変形部の外周面に係合部を成形することになる。このため、係合部を比較的簡単に成形することができ、この詰め替え用容器を低コストで製作することができる。
【０００８】
ここで、前記注出筒部の上端開口部に、この上端開口部を閉塞する閉止部材を設け、  前記胴部、前記反転変形部、前記注出筒部および前記閉止部材をブロー成形によって一体に成形してもよい。
この場合、胴部、反転変形部、注出筒部および閉止部材がブロー成形によって一体に成形されているので、この詰め替え用容器をさらに低コストで製作することが可能となる。
さらに、ブロー成形により成形しているので、反転変形前の反転変形部の外周面に係合部を簡単に成形することができる。
【０００９】
また、前記係合部を、反転変形時に雌ネジとなるネジ部としてもよい。
この場合、他の容器体の開口部に雄ネジが形成されていれば、この開口部の雄ネジと前記ネジ部とを螺合させることで、注出筒部を確実に固定することができる。また、反転変形させる前の状態で前記ネジ部を形成する場合には、反転変形部の外周壁に雄ネジを形成すればよいので、より簡単にこのネジ部を成形することができる。
【００１０】
さらに、前記胴部の下端に連設された底部に、前記詰め替え用容器内に内容物を充填するための充填口部を設け、この充填口部を、反転変形することで前記胴部の内方に収容される構成としてもよい。
この場合には、内容物を充填口部から充填することができ、前記注出筒部を通じて内容物を充填する必要がない。また、充填口部を反転変形させて胴部の内方に収容することによって、底部を接地させることができ、この詰め替え用容器を自立させることが可能となる。
【発明の効果】
【００１１】
本発明によれば、詰め替え用容器の注出筒部を他の容器体の開口部に挿入して、反転変形部を反転変形させることにより画成された凹部の内周壁となる部分に設けられた係合部によって固定した状態で、内容物の注入を行うことができ、内容物の注入作業を簡単に、かつ確実に行うことができる。
【発明を実施するための最良の形態】
【００１２】
以下に、本発明の実施形態である詰め替え用容器について添付した図面を参照して説明する。図１から図３に、本発明の実施形態である詰め替え用容器を示す。
この詰め替え用容器１０は、中心軸線Ｌに沿って延びる筒状をなす胴部１１と、胴部１１の下端（図１および図２において下側）に連設された底部１２と、胴部１１の上端（図１および図２において上側）に連設されて上側に向かうにしたがい漸次断面積が小さくなるように構成された肩部１３と、この肩部１３の内周端に接続されて中心軸線Ｌに沿って上方に向けて突出する接続筒部１４と、この接続筒部１４の上端に連設された反転変形部１５と、反転変形部１５のさらに上端に連設された注出筒部１６と、を備えている。つまり、本実施形態においては、胴部１１と反転変形部１５とが肩部１３および接続筒部１４を介して連設されているのである。
【００１３】
胴部１１は、図１および図２に示すように、上方に向かうにしたがい漸次外側に向けて拡がって径が大きくなるように構成されている。
底部１２には、下側に向けて突出する充填口部１７が設けられている。この充填口部１７は、下側に向かうにしたがい漸次径が小さくなるテーパ筒部１７Ａと、このテーパ筒部１７Ａの下端から下方に向けて中心軸線Ｌに沿って突出する充填筒部１７Ｂとを備えている。
【００１４】
反転変形部１５は、反転変形前には図１に示すように、接続筒部１４の上端内周部から上方に向かうにしたがい漸次径が小さくなる傾斜面部１５Ａと、この傾斜面部１５Ａの上端から上方に向けて延びる反転筒部１５Ｂとを備えている。この反転筒部１５Ｂの外周面には、係合部としてネジ部１５Ｃが形成されている。
この反転変形部１５を反転変形させた場合には、図２に示すように、胴部１１の内方（図２において下方）に向けて凹んだ凹部１９が画成され、反転筒部１５の外周面が反転してこの凹部１９の内周壁となる。これにより、反転変形前に反転筒部１５Ｂの外周面に形成されたネジ部１５Ｃは、反転変形後の凹部１９の内周壁において雌ネジを形成することになる。
【００１５】
反転変形部１５の上端に設けられた注出筒部１６は、前記反転筒部１５Ｂの上端から延びて上方に向かうにしたがい漸次径が小さくなるテーパ部１６Ａと、このテーパ部１６Ａの上端から中心軸線Ｌに沿って上方に向けて延びるスパウト部１６Ｂとを備えている。このスパウト部１６Ｂの上端開口部には、この上端開口部を閉塞する閉止部材１８が設けられている。なお、この閉止部材１８は、せん断力を与えることで簡単に除去できるように構成されている。
【００１６】
本実施形態においては、注出筒部１６の中心軸線Ｌ方向長さ（高さ）は、反転変形部１５が反転変形されることで画成される凹部１９の中心軸線Ｌ方向長さ（深さ）よりも大きくされており、反転変形時においても図２に示すように凹部１９の上端からスパウト部１６Ｂが突出するように構成されている。なお、このスパウト部１６Ｂの内径は、内容物の粘度や材質に合わせて調整されている。
【００１７】
このような構成とされた詰め替え用容器１０は、例えば、ポリエチレン、ポリプロピレン、ポリエチレンテレフタレート等の合成樹脂により形成されており、ブロー成形により、閉止部材１８を含めて一体に成形されている。
【００１８】
こうして成形された詰め替え用容器１０には、反転変形部１５を反転変形させて凹部１９を画成した後に、底部１２の充填口部１７を介して詰め替え用容器１０内に内容物が充填される。このように内容物を充填した後に、充填口部１７は、熱溶着等の一般的な手段によって封止されるとともに、反転変形させられて胴部１１の内方に収容される。
【００１９】
次に、図３を参照にして本実施形態である詰め替え用容器１０による他の容器体２０への内容物の注入作業について説明する。
図３に示すように、他の容器体２０の上端部分には、上方に向けて突出する口筒部２１が設けられており、この口筒部２１の外周面に雄ネジ部２１Ａが形成されている。なお、本実施形態においては、他の容器体２０は、口筒部２１にポンプ部材（図示なし）等が被着されて使用されるものである。
【００２０】
他の容器体２０に内容物を充填する際には、まず、詰め替え用容器１０の閉止部材１８をねじり取って、注出筒部１６の上端開口部を開口させる。そして、この注出筒部１６を他の容器体２０の口筒部２１を介して他の容器体２０の内部へと挿入するとともに、反転変形部１５が反転変形することにより画成された凹部１９を口筒部２１に被せるように配置する。そして、口筒部２１の雄ネジ部２１Ａと凹部１９の内周壁となる部分（反転筒部１５Ｂの外周面）に形成されたネジ部１５Ｃとを螺合させることで、他の容器体２０と詰め替え用容器１０とが固定される。
このように注出筒部１６が固定された状態で、注出筒部１６を通じて詰め替え用容器１０内の内容物が他の容器体２０に注入される。
【００２１】
このような構成とされた詰め替え用容器１０においては、前述のように、反転変形して凹部１９を画成する反転変形部１５を有し、この凹部１９の内周端から上方に向けて中心軸線Ｌに沿って突出する注出筒部１６が設けられているので、他の容器体２０の口筒部２１を通じて注出筒部１６を他の容器体２０の内部に挿入するとともに、前記凹部１９を口筒部２１に被せるように配置することが可能となる。そして、凹部１９の内周壁となる部分（反転筒部１５Ｂの外周面）に雌ネジとなるネジ部１５Ｃが形成されているので、このネジ部１５Ｃを他の容器体２０の口筒部２１の外周面に形成された雄ネジ部２１Ａに螺合させることで、注出筒部１６を固定することができる。
【００２２】
このように注出筒部１６を固定した状態で、他の容器体２０への内容物の注入作業が行われるので、内容物が漏れ出すおそれがなく、注入作業を簡単に、かつ、確実に行うことができる。
また、反転変形前に反転筒部１５Ｂの外周面にネジ部１５Ｃを成形することで、凹部１９の内周壁となる部分に雌ネジを形成することが可能となり、ネジ部１５Ｃを比較的簡単に成形することができる。よって、この詰め替え用容器１０を低コストで製作することができる。
【００２３】
また、注出筒部１６の上端開口部に、この上端開口部を閉塞する閉止部材１８が設けられており、胴部１１、肩部１３、反転変形部１５、注出筒部１６および閉止部材１８がブロー成形によって一体に成形されているので、この詰め替え用容器１０を低コストで製作することが可能となる。
さらに、ブロー成形により反転変形前の反転変形部１５の反転筒部１５Ｂの外周面にネジ部１５Ｃを成形することになるので、このネジ部１５Ｃをより簡単に成形することができる。
【００２４】
また、胴部１１の下端に連設された底部１２に詰め替え用容器内１０に内容物を充填するための充填口部１７が設けられているので、内容物を充填口部１７から充填することができ、注出筒部１６を通じて内容物を充填する必要がない。
また、充填口部１７は、反転変形することにより胴部１１の内方に収容される構成とされているので、底部１２を接地させることが可能となり、この詰め替え用容器１０を自立させることができる。
【００２５】
以上、本発明の実施形態である詰め替え用容器について説明したが、本発明の技術的範囲はこれに限定されることはなく、本発明の技術的思想を逸脱しない範囲で適宜変更可能である。
例えば、本実施形態においては、係合部としてネジ部を形成したものとして説明したが、これに限定されることはなく、アンダーカット係合するための係合凸部（係合凹部）を設けたものであってもよく、他の容器体に係合させて注出筒部を固定できるものであればよい。
【００２６】
また、注出筒部の開口部を閉塞する閉止部材をブロー成形によって一体成形したもので説明したが、これに限定されることはなく、キャップ材やシール部材等のように閉止部材を別体に設けてもよい。
さらに、底部に、詰め替え用容器内に内容物を充填するための充填口部を設け、この充填筒部を胴部の内方に収容可能な構成としたもので説明したが、充填口部が設けられていなくても良い。充填口部を設けない場合には、前記注出筒部を通じて内容物を充填する必要があるので、前述のように閉止部材を別体とすることが好ましい。
【００２７】
また、胴部や底部等の形状は、本実施形態に限定されることはなく、適宜設計することができる。
さらに、胴部と反転変形部との間に接続筒部を設けたものとして説明したが、この接続筒部を設けなくてもよい。
【００２８】
また、反転変形部を反転変形させて凹部を画成した後に、詰め替え用容器内に内容物を充填するものとして説明したが、これに限定されることはなく、他の容器体に内容物を充填する際に反転変形させて凹部を画成してもよい。
さらに、この詰め替え用容器に充填される内容物には特に限定はなく、飲料液や調味料等の食品、シャンプー、液体石鹸等を充填することができる。
【産業上の利用可能性】
【００２９】
他の容器体への内容物の注入作業を簡単に、かつ、確実に行うことができ、低コストで製作可能な詰め替え用容器を提供することができる。
【図面の簡単な説明】
【００３０】
【図１】本発明の実施形態である詰め替え用容器の側面部分断面図である。
【図２】図１の詰め替え用容器の反転変形部を反転変形させた状態を示す側面部分断面図である。
【図３】図２の詰め替え用容器を使用して他の容器体に内容物を注入する状態を示す説明図である。
【符号の説明】
【００３１】
１０  詰め替え用容器
１１  胴部
１２  底部
１５  反転変形部
１５Ｃ  ネジ部（係合部）
１６  注出筒部
１７  充填口部
１８  閉止部材
１９  凹部
２０  他の容器体
２１  口筒部
【図１】
2008133025.tif 000003
【図２】
2008133025.tif 000004
【図３】
2008133025.tif 000005